(57)【要約】【課題】  照明を有し電池で駆動する機器において、照明点灯時の電圧低下によるパワーダウンを防止すると共に、突発的な電圧低下で誤動作して電源がオフになることを防止する。【解決手段】  電池１の電圧を電池電圧検出部７で検出して予め設定した第１の設定電圧Ｖ１より低下したかどうかを第１の電圧比較部で比較し、設定電圧以下の状態が予め設定した第１の設定時間Ｔ１まで継続したことを第１の時間設定部９で検出した場合に電源制御部１０が機器の電源をオフにする。照明点灯制御部１３は、第２の電圧比較部１１が、電池１の電圧が予め設定した第２の設定電圧Ｖ２より低下したかどうかを検出し、第２の時間測定部１２が、設定電圧以下の状態が予め設定した第２の設定時間Ｔ２まで継続したことを検出した場合に照明６を消灯する。【選択図】  図１
2007141653.tif 000002
【特許請求の範囲】
【請求項１】
照明点灯操作により一定時間点灯する照明手段を有する電池駆動機器において、
電池電圧が予め設定した第１の設定電圧V１より低下した状態が予め設定した第１の設定時間T１まで継続した場合に電源をオフにするための電源制御部と、
電池電圧が予め設定した第２の設定電圧V２より低下した状態が予め設定した第２の設定時間T２まで継続した場合に照明手段を消灯するための照明点灯制御部とを有することを特徴とする電源装置。
【請求項２】
前記電源制御部が電源をオフにするに先立って前記照明点灯制御部により照明手段を点滅させることを特徴とする請求項１記載の電源装置。
【請求項３】
第２の設定電圧V２が第１の設定電圧V１より高いことを特徴とする請求項１または２記載の電源装置。
【請求項４】
第２の設定電圧V２が第１の設定電圧V１と等しいことを特徴とする請求項１または２記載の電源装置。
【発明の詳細な説明】
【技術分野】
【０００１】
本発明は、照明点灯操作により一定時間点灯する照明手段を有する電池駆動機器における電源電圧の低下に対処する手段を講じた電源装置に関するものである。
【背景技術】
【０００２】
従来、照明手段を有する電池駆動の機器の電源装置には、使用時間の経過に従って電池の端子電圧が所定の電圧より低下したのを検知して警報を発すると共に、電力供給を遮断するものがある（特許文献１参照）。
【０００３】
図５は特許文献１に記載された従来の照明手段を有する電池駆動機器を示し、同図５において、電池３１と照明手段３３との間に、電池３１からの出力電圧が予め定めた所定電圧よりも低下したのを検知してその信号を出力する検知手段（１６、１７、１８、）と、この検知手段からの検知信号を入力して警報機２２ａ、２２ｂを動作させる警報手段（１９，２０，２１，２１’）と、上記検知手段からの検知信号を入力して予め設定した所定時間後に上記照明手段３３への電力の供給回路を遮断する遮断手段（２３、２４、２５、２６）とを有する警報遮断装置１５を設けたものである。これにより、使用時間の経過に従って電池３１の端子電圧が所定電圧より低下したのを検知して警報を発すると共に、電力供給を遮断するものであった。
【特許文献１】特開平１０−１２００１号公報
【発明の開示】
【発明が解決しようとする課題】
【０００４】
しかし、上記の方式では、ＬＥＤ等の照明手段に大電流が流れた場合、図６で示すように消費電力が増大するため、図７で示すように急速に電圧が低下し、機器が動作可能な電圧より低下してしまい、機器が電源オフ処理をしていないにもかかわらず、パワーダウンして動作が停止してしまうことがある。これを防ぐために、予め設定した電圧以下に低下した時間を測定する際、電源オフにするかどうかを判断する時間を短く設定すると、突発的な電圧低下に反応して誤動作し、機器が電源オフになってしまうという問題点があった。
【０００５】
ここで電源オフとは、機器が正常な電源切断作業を行って機器の動作を止めることを表し、パワーダウンとは、電池電圧の低下により、機器が正常な電源切断作業を行うことができずに機器の動作が止まってしまうことを表す。
【０００６】
本発明は、照明点灯により大電流が流れた際に、急速な電圧低下で機器がパワーダウンすることを防止し、さらに、突発的な電圧低下で誤動作し、機器が電源オフになることを防止する電源装置を提供することを目的になされたものである。
【課題を解決するための手段】
【０００７】
この課題に対処するため、本発明の電源装置は、照明点灯操作により一定時間点灯する照明手段を有する電池駆動機器において、電池電圧が予め設定した第１の設定電圧V１より低下した状態が予め設定した第１の設定時間T１まで継続した場合に電源をオフにするための電源制御部と、電池電圧が予め設定した第２の設定電圧V２より低下した状態が予め設定した第２の設定時間T２まで継続した場合に照明手段を消灯するための照明点灯制御部とを有する構成である。
【発明の効果】
【０００８】
この構成により、本発明では照明点灯時に電池電圧が予め設定した第２の設定電圧Ｖ２より低下した状態が、短く設定した第２の設定時間Ｔ２まで継続した場合に照明手段を消灯するための照明点灯制御部を新たに設けることによって照明手段の消灯を早くした。これにより、照明点灯時の電圧低下によって、パワーダウンしてしまうことを防止すると共に、突発的な電圧低下で誤動作し、電源がオフになることを防止する作用を有する。
【発明を実施するための最良の形態】
【０００９】
以下、本発明の電源装置の機能を実施するための最良の形態について、図面を参照しながら説明する。
【００１０】
（実施の形態１）
図１は、本発明の実施の形態１における電源装置の各部の機能を示すブロック図、図２は同じく実施の形態１における電源装置の処理の流れを示すフローチャート、図３は同じく実施の形態１において第２の設定電圧V２を第１の設定電圧V１より高く設定した場合の動作例を示す図である。
【００１１】
図１において、電池１は、機器の回路に電力を供給する電源回路２に接続され、電源回路２から照明手段を除く回路への電力供給をオンオフする電源スイッチ３を介して照明手段を除く機器の回路４に接続されている。同様に、電源回路２から照明手段への電力供給をオンオフする照明スイッチ５を介して照明手段６に接続されている。ここで、照明手段６には、例えばＬＥＤ等の発光する照明部そのものと、これを駆動する照明回路部を含むものとする。そして、本実施形態における照明手段６は、機器の操作のために各種の操作ボタンのどれか、または特定の点灯ボタンを押すと（照明点灯操作）、一定時間、たとえば数秒から十数秒の間、ＬＥＤなどを点灯するように構成しているものである。
【００１２】
電源回路２には、電池１の電圧値を検出する電池電圧検出部７が接続され、この電池電圧検出部７には、電池電圧検出部７で検出した電池電圧と、予め設定した第１の設定電圧Ｖ１とを比較する第１の電圧比較部８が接続され、第１の電圧比較部８にはさらに第１の電圧比較部８で電池電圧が第１の設定電圧Ｖ１より低下している状態が、予め設定した第１の設定時間Ｔ１まで継続するか否かを測定する第１の時間測定部９が接続されている。そして第１の時間測定部９には電源スイッチ制御部１０が接続され、電源スイッチ制御部１０は、第１の電圧比較部８と第１の時間測定部９の判定結果により、照明手段を除く回路をオンオフする電源スイッチ３を制御する。
【００１３】
また電池電圧検出部７には、照明手段６が点灯しているときに、電池電圧検出部７で検出した電池電圧と予め設定した第２の設定電圧Ｖ２とを比較する第２の電圧比較部１１が接続され、第２の電圧比較部１１には、さらに第２の電圧比較部１１で電池電圧が第２の設定電圧Ｖ２より低下している状態が、予め設定した第２の設定時間Ｔ２まで継続するか否かを測定する第２の時間測定部１２が接続されている。そして第２の時間測定部１２には照明点灯制御部１３が接続され、照明点灯制御部１３は、第２の電圧比較部１１と第２の時間測定部１２の判定結果により照明手段６をオンオフする照明スイッチ５を制御する。
【００１４】
以上のように構成された本実施形態の電源装置において、電池電圧検出部７〜照明点灯制御部１３の構成を、マイクロコンピュータで構成することができ、その際における作用動作について、以下、図２のフローチャートを用いて説明する。
【００１５】
ステップＳ１で、電圧検出部７は電池１の電圧を検出しステップＳ２に処理を進める。ステップＳ２で、第１の電圧比較部８は、ステップＳ１で検出した電池１の電圧と、予め設定した第１の設定電圧Ｖ１とを比較し、電池電圧が第１の設定電圧Ｖ１より低ければステップＳ３に、電池電圧が第１の設定電圧Ｖ１より高ければステップＳ５に処理を進める。
ステップＳ３で第１の時間測定部９は、電池１の電圧が第１の設定電圧Ｖ１より低い状態が、第１の設定時間Ｔ１まで継続すればステップＳ４に、第１の設定時間Ｔ１まで継続しない場合は、ステップＳ５に処理を進める。ここで第１の設定時間Ｔ１は、たとえば数秒から十数秒程度の時間とする。ステップＳ４で電源制御部１０は電源スイッチ３をオフにすることで、照明手段を除く回路４への電力供給を遮断し、電源オフにする。
【００１６】
次に、ステップＳ５で、照明手段６が点灯していればステップＳ６に、照明手段が消灯していればステップＳ１に処理を進める。ステップＳ６で、第２の電圧比較部１１はステップＳ１で検出した電池１の電圧と、予め設定した第２の設定電圧Ｖ２とを比較し、電池電圧が第２の設定電圧Ｖ２より低ければステップＳ７に、電池電圧が第２の設定電圧Ｖ２より高ければステップＳ１に処理を進める。ステップＳ７で第２の時間測定部１２は、電池１の電圧が第２の設定電圧Ｖ２より低い状態が、第２の設定時間Ｔ２まで継続すればステップＳ８に、第２の設定時間Ｔ２まで継続しない場合は、ステップＳ１に処理を進める。ここで第２の設定時間Ｔ２は、第１の設定時間Ｔ１より短い、たとえば２０ｍｓ程度の時間である。ステップＳ８で、照明点灯制御部１３は照明スイッチ５をオフにすることで照明手段６のみを消灯し、ステップＳ１に処理を進める。
【００１７】
ここで、図２では説明していないが、照明手段を除く回路４が、必要により、または使用者の操作により電源オフ処理をしたときは、電源制御部１０と照明点灯制御部１３とに対して電源スイッチ３と照明スイッチ５とをオフにするよう指示するものである。
【００１８】
従来は、短時間の電圧低下を誤検出して機器が電源オフにならないように、電池１の電圧の、第１の設定電圧Ｖ１より低下した状態が、十分長く設定した第１の設定時時間Ｔ１まで継続した場合に機器の電源をオフにしていた。しかし、時間の長い第１の設定時間Ｔ１だけの規定では、ＬＥＤ等の照明点灯により大電流が流れた場合、急速に電池１の電圧が低下し、電池電圧が機器の動作可能な電圧を下回ってしまい、パワーダウンしてしまうことがある。
【００１９】
そのため、本発明では、新たに第２の設定時間Ｔ２を設け、照明点灯時には、電池電圧が第２の設定電圧Ｖ２より低下した状態が、短く設定した第２の設定時間Ｔ２まで継続した場合に照明手段のみを消灯させるようにした。照明手段以外の回路４をオンオフする第１の設定時間Ｔ１が長く設定されているため、突発的な電圧低下で誤動作して電源をオフにすることを防止することができ、さらに、照明手段６をオンオフする第２の設定時間Ｔ２が短く設定されているため、照明点灯による電池電圧の低下時間が短くなり、電圧の低下を軽微に止めることができる。このため照明点灯時の急速な電圧低下によって機器がパワーダウンすることを防止するという作用を有する。
【００２０】
ここで電源オフとは、機器が正常な電源切断作業を行って機器の動作を止めることを示し、パワーダウンとは、電池電圧の低下により、機器が正常な電源切断作業を行うことができずに機器の動作が止まってしまうことを示す。
【００２１】
図３を用いて機器動作時の例を紹介する。図３は第２の設定電圧Ｖ２が第１の設定電圧Ｖ１より高く設定された場合の動作例を示した図であり、機器動作中における電池１の電圧低下と、照明手段を点灯した場合の電池１の電圧低下を表している。
【００２２】
図３で機器動作中における電池１の電圧を４１、照明手段が点灯されている区間を区間４２、区間４３、区間４５で示す。区間４４、区間４５は電池１の電圧が第２の設定電圧V２より低下してから照明手段を消灯するまでの時間、すなわち第２の設定時間Ｔ２であり、区間４６は電池１の電圧が第１の設定電圧Ｖ１より低下してから電源がオフになるまでの時間、すなわち第１の設定時間Ｔ１であり、パワーダウン電圧４７は電池１の電圧がこの電圧より低下した場合に機器がパワーダウンしてしまう電圧である。
【００２３】
区間４２では、照明点灯時の電池１の電圧が第２の設定電圧Ｖ２より高いので、ＬＥＤは予め設定した長い時間点灯する。区間４３では、照明点灯中に電池１の電圧が第２の設定電圧Ｖ２より低下したため、電池電圧が第２の設定電圧Ｖ２より低下してから区間４４の第２の設定時間Ｔ２経過後に照明手段を消灯する。区間４５では、電池１の電圧が第２の設定電圧Ｖ２より低下している状態から点灯を開始したので、第２の設定時間Ｔ２経過後に照明手段を消灯する。区間４６では電池１の電圧が第１の設定電圧Ｖ１より低下したので、第１の設定時間Ｔ１経過後に機器の電源をオフにする。仮に電池１の電圧がパワーダウン電圧４７より低下した場合、機器がパワーダウンしてしまうので、第１の設定電圧Ｖ１はパワーダウン電圧４７より高い電圧に設定し、時間Ｔ１が経過するまでパワーダウン電圧４７まで低下しないこと、また第２の設定電圧Ｖ２は照明点灯時の電池電圧が時間Ｔ２が経過するまでパワーダウン電圧４７より低下しないように設定する必要がある。
【００２４】
なお、実施の形態１においては第２の設定電圧Ｖ２を第１の設定電圧Ｖ１より高い、とした場合を示したが、第１の設定電圧Ｖ１と第２の設定電圧Ｖ２とを同じ電圧、もしくは、第２の設定電圧Ｖ2を第１の設定電圧Ｖ１より低く設定しても差しつかえない。
【００２５】
（実施の形態２）
図４は本発明の実施の形態２における照明手段と電源制御部と照明点灯制御部を有する電池駆動機器における電源装置の処理の流れを示すフローチャートであり、実施の形態１のフローチャート図２に照明点滅機能を追加したものである。機器の構成は図１と同様で、詳しくいえば照明点灯制御部１３の動作が異なるものである。図２と同じ動作については同じ符号で示す。
【００２６】
ステップＳ１で、電圧検出部７は電池１の電圧を測定しＳ２に処理を進める。ステップＳ２で、第１の電圧比較部８はステップＳ１で検出した電池１の電圧と、予め設定した第１の設定電圧Ｖ１とを比較し、電池電圧が第１の設定電圧Ｖ１より低ければステップＳ３に、電池電圧が第１の設定電圧Ｖ１より高ければステップＳ５に処理を進める。ステップＳ３で第１の時間測定部９は、電池１の電圧が第１の設定電圧Ｖ１より低い状態が、第１の設定時間Ｔ１まで継続すればステップＳ９に、第１の設定時間Ｔ１まで継続しない場合は、ステップＳ５に処理を進める。ステップＳ９で照明点灯制御部１３は照明スイッチ５により照明手段６を所定回数点滅させることで、電源をオフにすることを警告し、ステップＳ４に処理を進める。ステップＳ４で電源制御部１０は電源スイッチ３をオフにすることで、照明手段を除く回路４への電力供給を遮断し、電源オフにする。
【００２７】
次に、ステップＳ５で、照明手段６が点灯していればステップＳ６に、照明手段が消灯していればステップＳ１に処理を進める。ステップＳ６で、第２の電圧比較部１１はステップＳ１で検出した電池１の電圧と、予め設定した第２の設定電圧Ｖ２とを比較し、電池電圧が第２の設定電圧Ｖ２より低ければステップＳ７に、電池電圧が第２の設定電圧Ｖ２より高ければステップＳ１に処理を進める。ステップＳ７で第２の時間測定部１２は、電池１の電圧が第２の設定電圧Ｖ２より低い状態が、第２の設定時間Ｔ２まで継続すればステップＳ８に、第２の設定時間Ｔ２まで継続しない場合は、ステップＳ１に処理を進める。  ステップＳ８で、照明点灯制御部１３は照明スイッチ５をオフすることで照明手段６のみを消灯し、ステップＳ１に処理を進める。
【００２８】
上記のように機器を動作させることで、実施の形態１の機能に加えて、電源がオフになる前に照明手段を点滅させることで機器が電源オフになることを予め知らせることができる。
【産業上の利用可能性】
【００２９】
本発明の電源装置によれば、照明点灯により大電流が流れた際に、急速な電圧低下で機器がパワーダウンすることを防止し、さらに、突発的な電圧低下で誤動作して機器の電源がオフになることを防止することが可能になるため、ＬＥＤ等の照明手段を有するオーディオ機器、携帯情報機器、携帯電話機、カメラ等の電気製品に広く適用できる。
【図面の簡単な説明】
【００３０】
【図１】本発明の実施の形態１における電源装置の各部の機能を示すブロック図
【図２】同電源装置の処理の流れを示すフローチャート
【図３】同実施の形態１において第２の設定電圧V２を第１の設定電圧V１より高く設定した場合の動作例を示す図
【図４】同実施の形態２における電源装置の処理の流れを示すフローチャート
【図５】従来の照明手段を有する電池駆動機器の構成を示すブロック図
【図６】同照明手段が点灯したときの消費電力増加を示す図
【図７】同照明手段が点灯したときの電池電圧の低下を示す図
【符号の説明】
【００３１】
１    電池
２    電源回路
３    電源スイッチ
４    照明手段を除く回路
５    照明スイッチ
６    照明手段
７    電池電圧検出部
８    第１の電圧比較部
９    第１の時間測定部
１０  電源制御部
１１  第２の電圧比較部
１２  第２の時間測定部
１３  照明点灯制御部
【図１】
2007141653.tif 000003
【図２】
2007141653.tif 000004
【図３】
2007141653.tif 000005
【図４】
2007141653.tif 000006
【図５】
2007141653.tif 000007
【図６】
2007141653.tif 000008
【図７】
2007141653.tif 000009